(57)【要約】【課題】遠隔地からサーバの消費電力を抑制することができる技術を提供する。【解決手段】サーバが、ネットワークを介して他の装置と通信する通信部と、自装置を構成し、自装置に関する所定の機能を実行する１つ以上の構成部材を識別する識別情報と、通信部を介して取得された構成部材に設けられた発光部材の光量とを制御する制御情報と、に基づいて、識別情報によって識別される構成部材に設けられた発光部材の光量を制御する光量制御部と、を備える。【選択図】図３
2020170318.tif 000002
【特許請求の範囲】
【請求項１】
ネットワークを介して他の装置と通信する通信部と、
自装置を構成し、前記自装置に関する所定の機能を実行する１つ以上の構成部材を識別する識別情報と、前記通信部を介して取得された前記構成部材に設けられた発光部材の光量とを制御する制御情報と、に基づいて、前記識別情報によって識別される構成部材に設けられた発光部材の光量を制御する光量制御部と、
を備える、サーバ。
【請求項２】
前記構成部材によって生成された前記発光部材の発光状態を前記他の装置に表示させる表示情報を前記通信部を介して前記他の装置に送信する装置表示制御部と、
をさらに備える、請求項１に記載のサーバ。
【請求項３】
前記光量制御部は、前記制御情報に対応付けられた前記発光部材の光量に関する情報に基づいて、前記発光部材の光量を制御する
請求項１又は２に記載のサーバ。
【請求項４】
前記光量制御部は、前記制御情報に対応付けられた出力電流に基づいて、前記発光部材に出力される電流を制御することで前記発光部材の光量を制御する
請求項３に記載のサーバ。
【請求項５】
１つ以上前記構成部材は、１つ以上の前記発光部材を備え、
前記光量制御部は、前記通信部を介して取得された前記発光部材を識別する発光部材識別情報に基づいて、前記発光部材識別情報によって識別される発光部材の光量を制御する
請求項１から４のいずれか一項に記載のサーバ。
【請求項６】
ネットワークを介して他の装置と通信する通信部と、
自装置を構成し、前記自装置に関する所定の機能を実行する１つ以上の構成部材を識別する識別情報と、前記通信部を介して取得された前記構成部材に設けられた発光部材の光量とを制御する制御情報と、に基づいて、前記識別情報によって識別される構成部材に設けられた発光部材の光量を制御する光量制御部と、
を備える、サーバ管理システム。
【請求項７】
ネットワークを介して他の装置と通信する通信ステップと、
自装置を構成し、前記自装置に関する所定の機能を実行する１つ以上の構成部材を識別する識別情報と、前記通信ステップにおいて取得された前記構成部材に設けられた発光部材の光量とを制御する制御情報と、に基づいて、前記識別情報によって識別される構成部材に設けられた発光部材の光量を制御する光量制御ステップと、
を有する、サーバ管理方法。
【請求項８】
コンピュータに、
ネットワークを介して他の装置と通信させる通信ステップと、
自装置を構成し、前記自装置に関する所定の機能を実行する１つ以上の構成部材を識別する識別情報と、前記通信ステップにおいて取得された前記構成部材に設けられた発光部材の光量とを制御する制御情報と、に基づいて、前記識別情報によって識別される構成部材に設けられた発光部材の光量を制御させる光量制御ステップと、
を実行させるための、プログラム。
【発明の詳細な説明】
【技術分野】
【０００１】
本発明は、サーバ、サーバ管理システム、サーバ管理方法及びプログラムに関する。
【背景技術】
【０００２】
近年、データセンターにおいても環境を重視した運営が求められている。このため、データセンターに設置されているサーバについても消費電力量を抑制することが求められている。例えば、サーバに所定の操作を行うことでランプを消灯し、消費電力量を抑制できる技術が特許文献１に開示されている。しかし、ランプの役割は、サーバの状態表示や個体識別表示である。このため、ランプを消灯して運用することは難しい。また、サーバは、遠隔地から監視や制御することが行われている。このようなサーバに設けられたランプであれば、ランプを消灯して運用することもできる。例えば、遠隔地からサーバを制御することができる技術が、特許文献２に開示されている。また、遠隔地からサーバのＬＥＤ（Light Emitting Diode）の表示を確認することができる技術が、特許文献３に開示されている。また、ＬＥＤの光量を制御することができる技術が特許文献４及び５に開示されている。しかし、サーバには、遠隔地から監視制御することができないランプがある。このようなランプについては、依然としてランプを点灯した状態を維持しておく必要があった。
【先行技術文献】
【特許文献】
【０００３】
【特許文献１】実用新案登録第３１７０９００号公報
【特許文献２】特開２０１６−０５７７９４号公報
【特許文献３】特開２０１０−２８７２５６号公報
【特許文献４】特開２００９−１５４３４２号公報
【特許文献５】特開２００９−１２９４１８号公報
【発明の概要】
【発明が解決しようとする課題】
【０００４】
特許文献１に記載された技術では、遠隔地からサーバのランプを消灯することで消費電力量を抑制することはできない。また、特許文献２に記載された技術は、遠隔地からサーバを制御することができるものの、ランプの制御を行うものではない。また、特許文献３に記載された技術は、ランプの表示を確認できることにとどまり、ランプの制御を行うものではない。また、特許文献４及び５に記載された技術は、装置の前面に立ったユーザに対してストレスを与えないように光量を制御するための技術であり、サーバの省電力制御を行うものではない。このように、遠隔地からサーバに設けられたランプの光量を制御する技術は開示されていない。
【０００５】
そこでこの発明は、上述の課題を解決するサーバ、サーバ管理システム、サーバ管理方法及びプログラムを提供することを目的としている。
【課題を解決するための手段】
【０００６】
本発明の第１の態様によれば、サーバは、ネットワークを介して他の装置と通信する通信部と、自装置を構成し、前記自装置に関する所定の機能を実行する１つ以上の構成部材を識別する識別情報と、前記通信部を介して取得された前記構成部材に設けられた発光部材の光量とを制御する制御情報と、に基づいて、前記識別情報によって識別される構成部材に設けられた発光部材の光量を制御する光量制御部と、を備える。
【０００７】
また、本発明の第２の態様によれば、サーバ管理システムは、ネットワークを介して他の装置と通信する通信部と、自装置を構成し、前記自装置に関する所定の機能を実行する１つ以上の構成部材を識別する識別情報と、前記通信部を介して取得された前記構成部材に設けられた発光部材の光量とを制御する制御情報と、に基づいて、前記識別情報によって識別される構成部材に設けられた発光部材の光量を制御する光量制御部と、を備える。
【０００８】
また、本発明の第３の態様によれば、サーバ管理方法では、ネットワークを介して他の装置と通信する通信ステップと、自装置を構成し、前記自装置に関する所定の機能を実行する１つ以上の構成部材を識別する識別情報と、前記通信ステップにおいて取得された前記構成部材に設けられた発光部材の光量とを制御する制御情報と、に基づいて、前記識別情報によって識別される構成部材に設けられた発光部材の光量を制御する光量制御ステップと、を有する。
【０００９】
また、本発明の第４の態様によれば、プログラムは、コンピュータに、ネットワークを介して他の装置と通信させる通信ステップと、自装置を構成し、前記自装置に関する所定の機能を実行する１つ以上の構成部材を識別する識別情報と、前記通信ステップにおいて取得された前記構成部材に設けられた発光部材の光量とを制御する制御情報と、に基づいて、前記識別情報によって識別される構成部材に設けられた発光部材の光量を制御させる光量制御ステップと、を実行させる。
【発明の効果】
【００１０】
本発明によれば、これにより遠隔地からサーバの消費電力を抑制することができるという効果が得られる。
【図面の簡単な説明】
【００１１】
【図１】第一実施形態によるサーバ管理システムのシステム構成構成を示すシステム構成図である。
【図２】第一実施形態のサーバの構成を示したハードウェア構成図である。
【図３】第一実施形態のユニットの機能構成を示した機能ブロック図である。
【図４】第一実施形態のサーバ管理装置の機能構成を示す機能ブロック図である。
【図５】第一実施形態の状態表示ランプの発光を制御する処理の流れの一具体例を示すシーケンスチャートである。
【図６】第一実施形態の状態表示ランプの点灯状態を表示する処理の流れの一具体例を示すシーケンスチャートである。
【図７】第二実施形態によるサーバ管理システムのシステム構成構成を示すシステム構成図である。
【図８】第二実施形態によるサーバに対する保守の流れを示すシーケンスチャートである。
【図９】本発明に係るサーバの最小構成を示す説明図である。
【発明を実施するための形態】
【００１２】
（第一実施形態）
以下、本発明の第一実施形態によるサーバ管理システム１を図面を参照して説明する。図１は、第一実施形態によるサーバ管理システム１のシステム構成構成を示すシステム構成図である。サーバ管理システム１は、サーバ１００と、サーバ管理装置２００と、を備え、ネットワーク３００を介して接続される。また、サーバ管理システム１は、サーバ１００が備えるランプを遠隔地から管理する。
【００１３】
サーバ１００及びサーバ管理装置２００は、いずれもネットワーク３００を介して通信可能である。ネットワーク３００は、例えばインターネット等の広域通信網である。ネットワーク３００は、無線通信を用いたネットワークであってもよいし、有線通信を用いたネットワークであってもよい。ネットワーク３００は、複数のネットワークが組み合わされて構成されてもよい。
【００１４】
図２は、第一実施形態のサーバ１００の構成を示したハードウェア構成図である。サーバ１００は、マザーボード１０１、電源ユニット１０２、ＦＡＮユニット１０３、ハードディスク１０４、光学ドライブ１０５、ＰＣＩ拡張デバイス１０６、装置表示制御部１０７及び通信部１７１を備える。本実施形態では、ランプを備える装置をユニットと呼ぶ。ユニットは、例えばマザーボード１０１、電源ユニット１０２、ＦＡＮユニット１０３、ハードディスク１０４、光学ドライブ１０５及びＰＣＩ拡張デバイス１０６等のサーバ１００が備える機器である。ユニットは、それぞれ光量制御部１０８を備える。例えば、マザーボード１０１は、光量制御部１０８ａを備える。例えば、電源ユニット１０２は、光量制御部１０８ｂを備える。例えば、ＦＡＮユニット１０３は、光量制御部１０８ｃを備える。例えば、ハードディスク１０４は、光量制御部１０８ｄを備える。例えば、光学ドライブ１０５は、光量制御部１０８ｅを備える。例えば、ＰＣＩ拡張デバイス１０６は、光量制御部１０８eを備える。以下、いずれのユニットに設けられた光量制御部１０８であるかを区別しない場合は、単に光量制御部１０８として説明する。
【００１５】
光量制御部１０８は、ユニットが備えるランプと接続される。ランプは、それぞれのユニットが提供する機能に関する状態又は状況を示す。光量制御部１０８は、それぞれのユニットで生成されたランプ信号を装置表示制御部１０７に出力する。また、光量制御部１０８は、装置表示制御部１０７から光量調整に関するモード信号を受信する。光量制御部１０８は、受信した光量調整に関するモード信号に基づいて、接続されたランプの光量を制御する。光量制御部１０８は、例えば、ＣＰＵ（Central Processing Unit）等のプロセッサとメモリ等の集積回路を用いて構成される。
【００１６】
マザーボード１０１は、ＣＰＵ等のプロセッサとメモリ等の集積回路を用いて構成される。マザーボード１０１は、サーバ１００の演算処理、記憶処理及び制御処理を行う。具体的には、マザーボード１０１は、電源ユニット１０２、ＦＡＮユニット１０３、ハードディスク１０４、光学ドライブ１０５及びＰＣＩ拡張デバイス１０６を制御する。マザーボード１０１は、光量制御部１０８ａと装置状態表示ランプ１１１とを備える。
【００１７】
光量制御部１０８ａは、マザーボード１０１内部で生成されるランプ信号を装置状態表示ランプ１１１に出力する。装置状態表示ランプ１１１は、サーバ１００の動作状態を表示するランプである。装置状態表示ランプ１１１は、例えば、ＬＥＤ又は有機ＥＬ（Electro Luminescence）等の発光部材である。装置状態表示ランプ１１１は、ランプ信号に応じて発光する。装置状態表示ランプ１１１は、色を変えたり、点灯したり、消灯したり、点滅したり等の発光状態によって、サーバ１００の動作状態を示す。サーバ１００の動作状態は、例えば、装置ステータス、給電状況又はオンボードＬＡＮ（Local Area Network）のアクセス状況等のサーバ１００の動作に関する状態を示すのであればどのような状態を示してもよい。
【００１８】
電源ユニット１０２は、外部から電源を受けサーバ１００に電力を供給する。電源ユニット１０２は、外部から受けた交流電力を直流電力に変換する。電源ユニット１０２は、変換された直流電力を調整し、マザーボード１０１、ＦＡＮユニット１０３、ハードディスク１０４、光学ドライブ１０５及びＰＣＩ拡張デバイス１０６に分配する制御を行う。電源ユニット１０２は、光量制御部１０８ｂとユニット状態表示ランプ１２１とを備える。
【００１９】
光量制御部１０８ｂは、電源ユニット１０２内部で生成されるランプ信号をユニット状態表示ランプ１２１に出力する。ユニット状態表示ランプ１２１は、電源ユニット１０２の装置状態を表示するランプである。ユニット状態表示ランプ１２１は、例えば、ＬＥＤ又は有機ＥＬ等の発光部材である。ユニット状態表示ランプ１２１は、ランプ信号に応じて発光する。ユニット状態表示ランプ１２１は、色を変えたり、点灯したり、消灯したり、点滅したり等の発光状態によって、電源ユニット１０２の動作状態を示す。例えば、ユニット状態表示ランプ１２１は、ＡＣ電力供給時には点滅したり、ＤＣ電力供給時には点灯したり、いずれの電力も供給されない場合には消灯したり、することで、電源ユニット１０２の動作状態を示す。
【００２０】
ＦＡＮユニット１０３は、サーバ１００を構成するユニット及びデバイス等の機器を冷却するためのユニットである。ＦＡＮユニット１０３は、マザーボード１０１等の外部の機器からの信号によって適切な風量を供給するよう制御される。ＦＡＮユニット１０３は、光量制御部１０８ｃとユニット状態表示ランプ１３１とを備える。
【００２１】
光量制御部１０８ｃは、ＦＡＮユニット１０３内部で生成されるランプ信号をユニット状態表示ランプ１３１に出力する。ユニット状態表示ランプ１３１は、ＦＡＮユニット１０３の装置状態を表示するランプである。ユニット状態表示ランプ１３１は、例えば、ＬＥＤ又は有機ＥＬ等の発光部材である。ユニット状態表示ランプ１３１は、ランプ信号に応じて発光する。ユニット状態表示ランプ１３１は、色を変えたり、点灯したり、消灯したり、点滅したり等の発光状態によって、ＦＡＮユニット１０３の動作状態を示す。例えば、ユニット状態表示ランプ１３１は、ＦＡＮユニット１０３に設けられたファンが正常に回転している時には点灯したり、正常に回転していない時には点滅したり、することでＦＡＮユニット１０３の動作状態を示す。また、ユニット状態表示ランプ１３１は、用途に応じて複数備えられてもよい。
【００２２】
ハードディスク１０４は、補助記憶装置である。ハードディスク１０４は、サーバ１００によって使用されるデータが格納される。ハードディスク１０４は、光量制御部１０８ｄとユニット状態表示ランプ１４１とを備える。
【００２３】
光量制御部１０８ｄは、ハードディスク１０４内部で生成されるランプ信号をユニット状態表示ランプ１４１に出力する。ユニット状態表示ランプ１４１は、ハードディスク１０４の装置状態を表示するランプである。ユニット状態表示ランプ１４１は、例えば、ＬＥＤ又は有機ＥＬ等の発光部材である。ユニット状態表示ランプ１４１は、ランプ信号に応じて発光する。ユニット状態表示ランプ１４１は、色を変えたり、点灯したり、消灯したり、点滅したり等の発光状態によって、ハードディスク１０４の動作状態を示す。例えば、ユニット状態表示ランプ１４１は、ハードディスク１０４に書き込みされている時、ハードディスク１０４からデータを読み取りされている時、エラーが発生した時等の、動作状態に応じて、点灯したり、消灯したり、点滅したり、することでハードディスク１０４、の動作状態を示す。また、ユニット状態表示ランプ１４１は、用途に応じて複数備えられてもよい。
【００２４】
光学ドライブ１０５は、ＣＤ−ＲＯＭ（Compact Disc Read Only Memory）、ＤＶＤ−ＲＯＭ（Digital Versatile Disc Read Only Memory）又はＢｌｕ−ＲａｙＤｉｓｃ等の光ディスクに書き込まれたデータを読み取る光ディスク読取装置である。光学ドライブ１０５は、光量制御部１０８ｅとユニット状態表示ランプ１５１とを備える。なお、光学ドライブ１０５は、光ディスクにデータを書き込む光ディスク書込装置であってもよい。
【００２５】
光量制御部１０８ｅは、光学ドライブ１０５内部で生成されるランプ信号をユニット状態表示ランプ１５１に出力する。ユニット状態表示ランプ１５１は、光学ドライブ１０５の装置状態を表示するランプである。ユニット状態表示ランプ１５１は、例えば、ＬＥＤ又は有機ＥＬ等の発光部材である。ユニット状態表示ランプ１５１は、ランプ信号に応じて発光するユニット状態表示ランプ１５１は、色を変えたり、点灯したり、消灯したり、点滅したり等の発光状態の変化よって、光学ドライブ１０５の動作状態を示す。例えば、ユニット状態表示ランプ１５１は、光学ドライブ１０５が光ディスクからデータを読み取りしている時、光学ドライブ１０５が光ディスクにデータを書き込みしている時、データの読み取り又は書き込みにエラーが発生した時等の、動作状態に応じて、点灯したり、消灯したり、点滅したり、することで光学ドライブ１０５の動作状態を示す。
【００２６】
ＰＣＩ拡張デバイス１０６は、ＰＣＩ（Peripheral Component Interconnect）バスで接続される拡張デバイスである。ＰＣＩ拡張デバイス１０６は、目的及び用途に応じて、ＰＣＩ拡張デバイス１０６の仕様に準拠したカードを取り付けされる。カードは、例えばグラフィックアクセラレータ、ディスクコントローラ又はネットワークカード等であってもよい。ＰＣＩ拡張デバイス１０６は、光量制御部１０８ｆとユニット状態表示ランプ１６１とを備える。なお、なお、ＰＣＩバスは、ＰＣＩＥｘｐｒｅｓｓ等の他の規格のデバイスであってもよい。
【００２７】
光量制御部１０８ｆは、ＰＣＩ拡張デバイス１０６内部で生成されるランプ信号をユニット状態表示ランプ１６１に出力する。ユニット状態表示ランプ１６１は、ＰＣＩ拡張デバイス１０６の装置状態を表示するランプである。ユニット状態表示ランプ１６１は、例えば、ＬＥＤ又は有機ＥＬ等の発光部材である。ユニット状態表示ランプ１６１は、ランプ信号に応じて発光する。ユニット状態表示ランプ１６１は、色を変えたり、点灯したり、消灯したり、点滅したり等の発光状態の変化に応じて、ＰＣＩ拡張デバイス１０６の動作状態を示す。例えば、ＰＣＩ拡張デバイス１０６にネットワークカードが取り付けされた場合について説明する。この場合、ユニット状態表示ランプ１６１は、ネットワークとのリンク状態や、通信におけるトラフィック量等のネットワークカードの動作状態に応じて、点灯したり、消灯したり、点滅したり、することでＰＣＩ拡張デバイス１０６の動作状態を示す。また、ユニット状態表示ランプ１６１は、用途に応じて複数備えられてもよい。
【００２８】
装置表示制御部１０７は、各光量制御部１０８に対して光量調整に関するモード信号を出力する。装置表示制御部１０７は、光量制御部１０８からランプ信号を受信する。装置表示制御部１０７は、受信したランプ信号を通信部１７１を介してサーバ管理装置２００に送信する。装置表示制御部１０７は、ＣＰＵ等のプロセッサとメモリ等の集積回路を用いて構成される。モード信号は、制御情報の一態様である。制御情報は、構成部材に設けられた発光部材の光量とを制御するための情報である。制御情報は、発光部材の光量に関する情報に対応付けられる。
【００２９】
通信部１７１は、ネットワークインターフェース等の通信装置である。通信部１７１は、所定のプロトコルでネットワーク３００に通信可能に接続する。通信部１７１は、装置表示制御部１０７の制御に応じてネットワーク３００を介してサーバ管理装置２００との間でデータ通信する。
【００３０】
図３は、第一実施形態のユニットの機能構成を示した機能ブロック図である。ユニット１０９は、図２で示したマザーボード１０１、電源ユニット１０２、ＦＡＮユニット１０３、ハードディスク１０４、光学ドライブ１０５及びＰＣＩ拡張デバイス１０６に相当する。ユニット１０９は、光量制御部１０８、状態表示ランプ１９１及びユニット主機能制御部１９２を備える。光量制御部１０８は、記憶部１８１、出力制御部１８２、信号変換部１８３及び通信制御部１８４を備える。ユニット主機能制御部１９２は、ランプ信号出力部１９３を備える。状態表示ランプ１９１は、装置状態表示ランプ１１１又はユニット状態表示ランプの一態様である。以下、装置状態表示ランプ１１１とユニット状態表示ランプとを区別しない場合は、単に状態表示ランプ１９１として説明する。ユニット１０９は、構成部材の一態様である。構成部材は、サーバ１００を構成する機器である。構成部材は、自装置に関する所定の機能を実行する。所定の機能は、例えば、電源の供給であってもよいし、他の構成部材の冷却であってもよい。
【００３１】
ユニット主機能制御部１９２は、ユニット１０９の主要機能を提供する。例えば、ユニット１０９が電源ユニットである場合、ユニット主機能制御部１９２は、外部から電源を受けサーバ１００に電力を供給する。
【００３２】
ランプ信号出力部１９３は、ユニット主機能制御部１９２の動作状態に基づいて、ランプ信号を生成する。ランプ信号は、状態表示ランプ１９１の点灯、消灯又は色を示す信号である。ランプ信号出力部１９３は、生成されたランプ信号を出力する。なお、ランプ信号出力部１９３から出力制御部１８２に向けて伸びる複数の配線は、状態表示ランプ１９１と一対一に対応する。ランプ信号出力部１９３は、ユニット主機能制御部１９２の動作状態に基づいて、所定の配線にランプ信号を出力する。
【００３３】
記憶部１８１は、磁気ハードディスク装置や半導体記憶装置等の記憶装置を用いて構成される。記憶部１８１は、ユニット識別情報を記憶する。ユニット識別情報は、サーバ１００に設けられたユニット１０９を一意に識別する情報である。ユニット識別情報は、複数の文字や数字を用いて構成されてもよい。ユニット識別情報は、サーバ１００に備えられた他のユニット１０９と異なる情報であればどのような情報であってもよい。ユニット識別情報は、予め記憶部１８１に記憶される。ユニット識別情報は、識別情報の一態様である。識別情報は、構成部材を一意に識別する情報である。
【００３４】
出力制御部１８２は状態表示ランプ１９１と接続される。出力制御部１８２は、状態表示ランプ１９１の光量を調整する。具体的には、出力制御部１８２は、ランプ信号出力部１９３からランプ信号を受信する。出力制御部１８２は、通信制御部１８４からモード信号を受信する。出力制御部１８２は、ランプ信号とモード信号とに基づいて状態表示ランプ１９１に出力される出力電流を調整する。出力制御部１８２は、調整された出力電流を状態表示ランプ１９１に出力することで光量を調整する。モード信号は、状態表示ランプ１９１の発光の状態を定める信号である。モード信号は、例えば、消灯、減灯、通常又は強調等の複数の種類があってもよい。出力電流は、モード信号の種類に対応付けられてもよい。出力電流は、例えば、消灯の場合０％、減灯の場合２０％、通常の場合５０％、強調の場合８０％であってもよく、これに限定されない。出力制御部１８２は、出力電流とモード信号の種類とを対応付けたテーブルを予め保持していてもよい。状態表示ランプ１９１は、発光部材の一態様である。発光部材は、構成部材に設けられる。発光部材は、構成部材の状態を表示するランプである。発光部材は、例えば、ＬＥＤ又は有機ＥＬ等である。
【００３５】
信号変換部１８３は、ランプ信号出力部１９３によって出力されたランプ信号を受信する。信号変換部１８３は、受信したランプ信号に基づいてランプ表示情報を生成する。ランプ表示情報は、状態表示ランプ１９１の点灯又は消灯に関する状態を示す情報である。ランプ表示情報は、例えば０または１等の２値で表されてもよい。ランプ表示情報は、例えば０であれば消灯、１であれば点灯を表してもよい。信号変換部１８３は、受信したランプ信号の信号強度に応じて、ランプ表示情報を０又は１に決定してもよい。信号変換部１８３は、ランプ信号を受信した時間の長さに応じて複数のランプ表示情報を生成してもよい。信号変換部１８３は、ランプ信号から生成されたランプ表示情報を圧縮する。例えば、信号変換部１８３は、生成されたランプ表示情報をサンプリング化することで圧縮してもよい。信号変換部１８３は、記憶部１８１からユニット識別情報を取得する。信号変換部１８３は、圧縮されたランプ表示情報と取得されたユニット識別情報とを対応付けて通信制御部１８４に出力する。ランプ表示情報は、表示情報の一態様である。表示情報は、構成部材によって生成された発光部材の発光状態を他の装置に表示させる情報である。
【００３６】
通信制御部１８４は、装置表示制御部１０７に接続される。通信制御部１８４は、信号変換部１８３からランプ表示情報とユニット識別情報とを対応付けた情報を受信する。通信制御部１８４は、ランプ表示情報とユニット識別情報とを対応付けた情報を取得すると、取得された情報を装置表示制御部１０７に出力する。また、通信制御部１８４は、装置表示制御部１０７からモード信号を受信する。通信制御部１８４は、受信したモード信号を出力制御部１８２に出力する。
【００３７】
装置表示制御部１０７は、通信部１７１を介してサーバ管理装置２００からモード信号とユニット識別情報とを対応付けた情報を受信する。装置表示制御部１０７は、ユニット識別情報によって識別されるユニットに対して、モード信号を出力する。
【００３８】
図４は、第一実施形態のサーバ管理装置２００の機能構成を示す機能ブロック図である。サーバ管理装置２００は、パーソナルコンピュータ、スマートデバイスやタブレットコンピュータ等の情報処理装置を用いて構成される。サーバ管理装置２００は、通信部２０１、入力部２０２、出力部２０３及び制御部２０４を備える。
【００３９】
通信部２０１は、ネットワークインターフェース等の通信装置である。通信部２０１は、所定のプロトコルでネットワーク３００に通信可能に接続する。通信部２０１は、制御部２０４の制御に応じてネットワーク３００を介して他の装置との間でデータ通信する。
【００４０】
入力部２０２は、キーボード、ポインティングデバイス（マウス、タブレット等）、ボタン、タッチパネル等の既存の入力装置を用いて構成される。入力部２０２は、サーバ管理装置２００のユーザからの指示をサーバ管理装置２００に入力する際に操作される。入力部２０２は、入力装置をサーバ管理装置２００に接続するためのインターフェースであってもよい。この場合、入力部２０２は、入力装置においてサーバ管理装置２００のユーザの入力に応じ生成された入力信号をサーバ管理装置２００に入力する。サーバ管理装置２００のユーザは、例えば、サーバ１００の消費電力量を抑制する者であってもよいし、サーバ１００を監視制御する者であってもよい。サーバ管理装置２００のユーザは、サーバ１００を管理する者であればどのような者であってもよい。
【００４１】
出力部２０３は、サーバ管理装置２００に接続された不図示の出力装置を介し、サーバ管理装置２００のユーザに対してデータの出力を行う。出力装置は、例えば画像や文字を画面に出力する装置を用いて構成されても良い。例えば、出力装置は、ＣＲＴ（Cathode Ray Tube）や液晶ディスプレイや有機ＥＬディスプレイ等を用いて構成できる。また、出力装置は、画像や文字をシートに印刷（印字）する装置を用いて構成されても良い。例えば、出力装置は、インクジェットプリンタやレーザープリンタ等を用いて構成できる。また、出力装置は、文字を音声に変換して出力する装置を用いて構成されても良い。この場合、出力装置は、音声合成装置及び音声出力装置（スピーカー）を用いて構成できる。出力装置は、ＬＥＤ等の発光装置を用いて構成されてもよい。出力部２０３は、サーバ管理装置２００に設けられた通信装置を介して他の情報処理装置に対し判定結果を送信してもよい。
【００４２】
制御部２０４は、ＣＰＵ等のプロセッサとメモリを用いて構成される。制御部２０４は、プロセッサが特定のプログラムを実行することによって、サーバ管理部２４１として機能する。
【００４３】
サーバ管理部２４１は、所定のサーバ管理プログラムを実行することによって、サーバ１００と通信を行う。例えば、サーバ管理部２４１は、モード信号をサーバ１００に送信する。例えば、サーバ管理部２４１は、ランプ表示情報とユニット識別情報とを対応付けた情報をサーバ１００から受信する。まず、サーバ管理装置２００がモード信号をサーバ１００に送信する場合について説明する。サーバ管理部２４１は、サーバ１００に設けられた装置状態表示ランプ又はユニット状態表示ランプの点灯状態を出力部２０３に出力する。サーバ管理装置２００のユーザは、出力部２０３に出力された点灯状態に基づいて、入力部２０２を操作する。具体的には、サーバ管理装置２００のユーザは、入力部２０２を操作することでモード信号とユニット識別情報とをサーバ管理装置２００に入力する。入力されるモード信号は、消灯、減灯、通常又は強調等の複数種類のモード信号のうちいずれか１つのモード信号である。入力されるユニット識別情報は、マザーボード１０１、電源ユニット１０２、ＦＡＮユニット１０３、ハードディスク１０４、光学ドライブ１０５又はＰＣＩ拡張デバイス１０６等のサーバ１００に設けられたユニットのうちいずれか１つのユニット識別情報である。サーバ管理部２４１は、入力されたモード信号とユニット識別情報とを対応付けて、通信部２０１を介してサーバ１００に送信する。なお、入力されるユニット識別情報は２つ以上であってもよい。この場合、サーバ管理部２４１は、入力された複数のユニット識別情報とモード信号とを対応付けてサーバ１００に送信するように構成されてもよい。
【００４４】
次に、サーバ管理装置２００がランプ表示情報とユニット識別情報とを対応付けた情報をサーバ１００から受信する場合について説明する。サーバ管理部２４１は、通信部２０１を介してサーバ１００からランプ表示情報とユニット識別情報とを対応付けた情報を受信する。サーバ管理部２４１は、ランプ表示情報とユニット識別情報とに基づいて、管理画面を生成する。管理画面は、サーバ１００に設けられたランプの点灯状態を示す画面である。例えば、サーバ管理部２４１が、ランプ表示情報として点灯と、ユニット識別情報として電源ユニット１０２と、が対応付けられた情報を受信した場合について説明する。この場合、サーバ管理部２４１は、ユニット１０９に設けられた状態表示ランプ１９１が点灯した状態を示す管理画面を生成する。サーバ管理部２４１は、生成された管理画面を出力部２０３に出力する。出力部２０３は、出力された管理画面を出力する。なお、管理画面として出力される状態表示ランプ１９１の表示状態は、モード信号に依存しない。例えば、モード信号として消灯が入力された場合であっても、ランプ表示情報が点灯を示す場合、出力部２０３は、状態表示ランプ１９１の点灯状態を点灯を示す管理画面を出力する。
【００４５】
図５は、第一実施形態の状態表示ランプの発光を制御する処理の流れの一具体例を示すシーケンスチャートである。図５に示すシーケンスチャートは、サーバ管理装置２００のユーザからモード信号が入力された場合に実行される。サーバ管理装置２００の出力部２０３は、管理画面を出力している。サーバ管理装置２００のユーザは、出力部２０３に出力された管理画面に基づいて、入力部２０２を操作する。入力部２０２は、ユーザに操作に基づいてモード信号を受け付ける（ステップＳ１０１）。なお、入力部２０２は、モード信号とともに、ユニット識別情報を受け付ける。サーバ管理部２４１は、入力されたモード信号とユニット識別情報とを対応付けて、通信部２０１を介してサーバ１００に送信する（ステップＳ１０２）。
【００４６】
サーバ１００の装置表示制御部１０７は、モード信号とユニット識別情報とを対応付けた情報を受信する。装置表示制御部１０７は、受信したモード信号を出力するユニット１０９を決定する（ステップＳ１０３）。具体的には、装置表示制御部１０７は、ユニット識別情報によって識別されるユニット１０９に対して、モード信号を出力することに決定する。出力制御部１８２は、モード信号に基づいて、出力電流を制御する（ステップＳ１０４）。具体的には、出力制御部１８２は、受信したモード信号に対応付けられた出力電流に、出力電流を制御する。ユニット状態表示ランプは、制御された出力電流と、ランプ信号出力部１９３によって生成されたランプ信号と、に応じた光量で発光する（ステップＳ１０４）。
【００４７】
図６は、第一実施形態の状態表示ランプの点灯状態を表示する処理の流れの一具体例を示すシーケンスチャートである。図６に示すシーケンスチャートは、サーバ１００によってランプ信号が生成された場合に実行される。ランプ信号出力部１９３は、ユニット主機能制御部１９２の動作状態に基づいて、ランプ信号を生成する（ステップＳ２０１）。信号変換部１８３は、ランプ信号出力部１９３によって出力されたランプ信号を受信する。信号変換部１８３は、受信したランプ信号に基づいてランプ表示情報を生成する（ステップＳ２０２）。具体的には、信号変換部１８３は、受信したランプ信号の信号強度に応じて、ランプ表示情報を０又は１に決定する。信号変換部１８３は、生成されたランプ表示情報をサンプリング化することで圧縮する。信号変換部１８３は、記憶部１８１からユニット識別情報を取得する。信号変換部１８３は、圧縮されたランプ表示情報と取得されたユニット識別情報とを対応付けて通信制御部１８４に出力する。
【００４８】
通信制御部１８４は、信号変換部１８３からランプ表示情報とユニット識別情報とを対応付けた情報を受信する。通信制御部１８４は、ランプ表示情報とユニット識別情報とを対応付けた情報を取得すると、取得された情報を装置表示制御部１０７に出力する。装置表示制御部１０７は、ランプ表示情報とユニット識別情報とを対応付けた情報をサーバ管理装置２００に送信する（ステップＳ２０３）。サーバ管理装置２００のサーバ管理部２４１は、ランプ表示情報とユニット識別情報とに基づいて、ランプの点灯状態を表示する管理画面を生成する。出力部２０３は、生成された管理画面を出力する（ステップＳ２０５）。
【００４９】
このように構成されたサーバ管理システム１では、ユニット１０９が光量制御部１０８を備える。ユニット１０９は、マザーボード１０１、電源ユニット１０２、ＦＡＮユニット１０３、ハードディスク１０４、光学ドライブ１０５及びＰＣＩ拡張デバイス１０６等のサーバ１００が備える機器である。また、サーバ１００は、ランプの発光の状態を定めるモード信号を受信する。光量制御部１０８は、モード信号に応じてランプの電流を制御することで、ランプの光量を調整する。このため、サーバ管理システム１は、遠隔地からランプの光量を制御することが可能になる。このため、サーバ１００は、消灯や減灯に関するモード信号を受信することで、サーバ１００の消費電力を抑制することが可能になる。
【００５０】
また、サーバ１００は、サーバ１００に設けられたユニットを識別するユニット識別情報とモード信号とを対応付けた情報を受信する。このように構成されることで、サーバ１００が備えるユニット毎にランプの光量を制御することが可能になる。このためサーバ管理装置２００は、サーバ１００が備えるランプをユニット毎に統合して遠隔地から制御することが可能になる。
【００５１】
また、サーバ１００は、ランプ表示情報とユニット識別情報とを対応付けてサーバ管理装置２００に送信する。サーバ管理装置２００の出力部２０３は、ランプ表示情報とユニット識別情報とに基づいて生成された管理画面を出力する。管理画面は、ランプの点灯状態を表示する。このように、サーバ管理装置２００は、サーバ１００が備えるランプを集約して出力することができる。このため、サーバ１００が備えるすべてのランプの状況を遠隔監視することができる。また、サーバ１００が備えるランプが消灯している場合であっても、遠隔地からサーバ１００の状態を監視することが可能になる。このため、サーバ１００の消費電力を抑制することが可能になる。
【００５２】
（第二実施形態）
次に、第二実施形態におけるサーバ管理システム１ａについて説明する。図７は、第二実施形態によるサーバ管理システム１ａのシステム構成構成を示すシステム構成図である。第二実施形態におけるサーバ管理システム１ａは、複数のサーバ１００を備える点で第一実施形態とは異なるが、それ以外の構成は同じである。以下、第一実施形態と異なる点について説明する。
【００５３】
第二実施形態におけるサーバ管理システム１ａは、サーバ１００を複数台備える。サーバ管理システム１ａのサーバ管理装置２００は、サーバ１００を複数台設置した環境において、ネットワーク３００を介してサーバ１００の情報を集約する。サーバ１００が複数台設置された環境は、例えば、サーバルームやデータセンターである。サーバ管理装置２００は、第一実施形態と同様の手順で、サーバ１００に対するランプの制御を行う。
【００５４】
サーバルームやデータセンターに複数のサーバ１００が設置される場合、サーバ１００は、同一ラックに隙間なく高密度に設置されることがある。サーバ１００は、障害が発生したり、保守のタイミングであったり、様々な理由で操作される。サーバ１００が操作される場合には、保守員がサーバルームやデータセンター等の設置場所に入室する。しかしながら、上述のように同型のサーバ１００が同一ラックに高密度に設置されている場合、保守員は、操作対象となるサーバを見つけ出すこと、サーバの交換対象部品を探し出すこと、隣接の類似品と区別すること等が難しかった。このような設置は、保守員による操作ミスや識別ミスの原因となったり、作業効率の低下の原因となっていた。
【００５５】
図８は、第二実施形態によるサーバ１００に対する保守の流れを示すシーケンスチャートである。図８に示すシーケンスチャートは、保守員がサーバ１００に対する保守作業を実施する際に実行される。保守作業とは、例えばサーバ１００に発生した障害の解決や、定期メンテナンス等である。サーバ管理装置２００の入力部２０２は、サーバ管理装置２００のユーザからの操作に基づいてモード信号を受け付ける（ステップＳ３０１）。なお、入力部２０２は、モード信号として、消灯モードを受け付ける。ここで、入力部２０２は、モード信号とともに、ユニット識別情報を受け付けてもよい。この場合、入力部２０２は、ネットワーク３００に接続された全てのサーバ１００が備えるユニットのユニット識別情報を受け付ける。サーバ管理装置２００のサーバ管理部２４１は、入力された消灯モード（モード信号）とユニット識別情報とを対応付けて、通信部２０１を介して全てのサーバ１００に送信する（ステップＳ３０２）。
【００５６】
各サーバ１００はランプを消灯する（ステップＳ３０３）。具体的には、サーバ１００の装置表示制御部１０７は、モード信号とユニット識別情報とを対応付けた情報を受信する。装置表示制御部１０７は、全てのユニットにモード信号を出力する。出力制御部１８２は、モード信号に基づいて、ユニット出力電流を制御することでランプを消灯する。
【００５７】
次に、入力部２０２は、サーバ管理装置２００のユーザからの操作に基づいてモード信号を受け付ける（ステップＳ３０４）。なお、入力部２０２は、モード信号として、点灯モードを受け付ける。ここで、入力部２０２は、モード信号とともに、ユニット識別情報を受け付ける。この場合、入力部２０２は、保守対象となるサーバ１００が備えるユニットに関するユニット識別情報を受け付ける。なお、入力部２０２は、保守対象となるユニットに関するユニット識別情報のみを受け付けてもよいし、保守対象となるユニットについて異なるモード信号を受け付けてもよい。例えば、保守対象となるユニット以外のユニットに減灯モード信号又は消灯モード等のモード信号を受け付けてもよい。サーバ管理部２４１は、入力された点灯モード（モード信号）とユニット識別情報とを対応付けて、通信部２０１を介して保守対象のサーバ１００に送信する（ステップＳ３０５）。
【００５８】
保守対象となるサーバ１００はランプを点灯する（ステップＳ３０６）。具体的には、装置表示制御部１０７は、モード信号とユニット識別情報とを対応付けた情報を受信する。装置表示制御部１０７は、ユニット識別情報にて識別されるユニットにモード信号を出力する。出力制御部１８２は、モード信号に基づいて、ユニット出力電流を制御することでランプを点灯する。このように、サーバ管理システム１ａは、保守対象となるサーバ１００のみランプを点灯させることができる。また、サーバ１００は、保守対象となるユニットについて異なる点灯モード（例えば、減灯モード又は消灯モード）を受け付けた場合、保守対象となるユニットを目立たせることができる。保守員は、より簡単に保守対象となるサーバ１００を特定し、保守作業を行うことが可能になる。
【００５９】
保守員による保守作業が終了すると、入力部２０２は、サーバ管理装置２００のユーザからの操作に基づいてモード信号を受け付ける（ステップＳ３０７）。なお、入力部２０２は、モード信号として、点灯モードを受け付ける。ここで、入力部２０２は、モード信号とともに、ユニット識別情報を受け付ける。この場合、入力部２０２は、ネットワーク３００に接続された保守対象のサーバ１００以外のサーバ１００が備えるユニットのユニット識別情報を受け付ける。サーバ管理部２４１は、入力された点灯モード（モード信号）とユニット識別情報とを対応付けて、通信部２０１を介して保守対象のサーバ１００以外のサーバ１００に送信する（ステップＳ３０８）。サーバ１００はランプを点灯する（ステップＳ３０９）。具体的には、サーバ１００の装置表示制御部１０７は、モード信号とユニット識別情報とを対応付けた情報を受信する。装置表示制御部１０７は、全てのユニットにモード信号を出力する。出力制御部１８２は、モード信号に基づいて、ユニット出力電流を制御することでランプを点灯する。
【００６０】
このように構成されたサーバ管理システム１ａでは、遠隔地から複数のサーバ１００に対して、状態表示ランプ１９１の制御を行うことが可能になる。このため、サーバ１００に対して保守作業などを行う際に、遠隔地から保守対象のサーバ１００のみを点灯させることが可能になる。したがって、サーバルームやデータセンター等において、サーバ１００が同一ラックに隙間なく高密度に設置された場合であっても、簡単に作業対象となるサーバ１００を見つけることができ、作業効率を向上させることができる。
【００６１】
サーバ管理システム１ａが備えるサーバ管理装置２００によって、遠隔地から複数のサーバ１００の状態表示ランプ１９１の点灯状態を確認することができる。また、サーバ管理装置２００が遠隔地から必要に応じて状態表示ランプ１９１を点灯させることが可能になる。このため、セキュリティの観点から入室を制限されたサーバルームやデータセンターにおいて、常時状態表示ランプ１９１を点灯しておく必要がなくなる。サーバ管理システム１では、サーバルームやデータセンターに設置されたサーバ１００の状態表示ランプ１９１は、通常運用時は消灯しておく。これによって、サーバ１００は消費電力を抑制することが可能になる。
【００６２】
図９は、本発明に係るサーバ１０の最小構成を示す説明図である。図９に示すサーバ１０は、通信部１１と、光量制御部１２とを備える。かかる構成にて、通信部１１は、ネットワークを介して他の装置と通信する。光量制御部１２は、自装置を構成し、前記自装置に関する所定の機能を実行する１つ以上の構成部材を識別する識別情報と、前記通信部を介して取得された前記構成部材に設けられた発光部材の光量とを制御する制御情報と、に基づいて、前記識別情報によって識別される構成部材に設けられた発光部材の光量を制御する。これにより、サーバ１０では、遠隔地からサーバ１０に設けられた発光部材の光量を制御することができる。このため、必要のないときは、ランプを消灯したり、減灯したり、等によって、サーバ１０のさらなる省電力化を行なうことが可能になる。
【００６３】
（変形例）
上述の第一実施形態及び第二実施形態のサーバ管理システムでは、モード信号はユニット毎に制御されたが、これに限定されない。例えば、サーバ管理装置２００は、ランプ毎に点灯状態を制御するように構成されてもよい。この場合、入力部２０２は、モード信号と、ユニット識別情報と、に加えて、さらにランプ識別情報の入力を受け付ける。ランプ識別情報は、ユニットに設けられたランプを一意に識別可能な情報である。この場合、出力制御部１８２は、ランプ識別情報によって識別されるランプに対する出力電流を制御する。このように構成されることで、サーバ管理装置２００は、ランプに対してより詳細な制御が可能になる。したがって、サーバ管理システムは、サーバ１００の消費電力を抑制することが可能になる。ランプ識別情報は、発光部材識別情報の一態様である。発光部材識別情報は、構成部材に設けられた発光部材を一意に識別する。
【００６４】
上述のサーバ１００及びサーバ管理装置２００は内部に、コンピュータシステムを有している。そして、上述したランプの光量制御及び遠隔監視の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６５】
なお、図３における装置表示制御部１０７及び光量制御部１０８の機能と図４における制御部２０４の機能とを実現するためのプログラムをコンピュータ読み取り可能な記録媒体に記録して、この記録媒体に記録されたプログラムをコンピュータシステムに読み込ませ、実行することにより図３における装置表示制御部１０７及び光量制御部１０８の機能と図４における制御部２０４の機能とを実現してもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【産業上の利用可能性】
【００６７】
本発明は、サーバ管理システムに適用されるサーバ及びサーバ管理方法に関する。
【符号の説明】
【００６８】
１・・・サーバ管理システム
１０、１００・・・サーバ
１０１・・・マザーボード
１０２・・・電源ユニット
１０３・・・ＦＡＮユニット
１０４・・・ハードディスク
１０５・・・光学ドライブ
１０６・・・ＰＣＩ拡張デバイス
１０７・・・装置表示制御部
１２、１０８・・・光量制御部
１０９・・・ユニット
１１１・・・装置状態表示ランプ
１２１、１３１、１４１、１５１、１６１・・・ユニット状態表示ランプ
１１、１７１、２０１・・・通信部
１８１・・・記憶部
１８２・・・出力制御部
１８３・・・信号変換部
１８４・・・通信制御部
１９１・・・状態表示ランプ
１９２・・・ユニット主機能制御部
１９３・・・ランプ信号出力部
２００・・・サーバ管理装置
２０２・・・入力部
２０３・・・出力部
２０４・・・制御部
２４１・・・サーバ管理部
３００・・・ネットワーク
【図１】
2020170318.tif 000003
【図２】
2020170318.tif 000004
【図３】
2020170318.tif 000005
【図４】
2020170318.tif 000006
【図５】
2020170318.tif 000007
【図６】
2020170318.tif 000008
【図７】
2020170318.tif 000009
【図８】
2020170318.tif 000010
【図９】
2020170318.tif 000011
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
ネットワークを介して他の装置と通信する通信部と、
自装置を構成し、前記自装置に関する所定の機能を実行する１つ以上の構成部材を識別する識別情報と、前記通信部を介して取得された前記構成部材に設けられた発光部材の光量を制御する制御情報と、前記ユニットの動作状態に基づいて生成されるランプ情報と、に基づいて、前記識別情報によって識別される構成部材に設けられた発光部材の光量を制御する光量制御部と、
を備える、サーバ。
【請求項２】
前記構成部材によって生成された前記発光部材の発光状態を前記他の装置に表示させる表示情報を前記通信部を介して前記他の装置に送信する装置表示制御部と、
をさらに備える、請求項１に記載のサーバ。
【請求項３】
前記光量制御部は、前記制御情報に対応付けられた前記発光部材の光量に関する情報に基づいて、前記発光部材の光量を制御する
請求項１又は２に記載のサーバ。
【請求項４】
前記光量制御部は、前記制御情報に対応付けられた出力電流に基づいて、前記発光部材に出力される電流を制御することで前記発光部材の光量を制御する
請求項３に記載のサーバ。
【請求項５】
１つ以上前記構成部材は、１つ以上の前記発光部材を備え、
前記光量制御部は、前記通信部を介して取得された前記発光部材を識別する発光部材識別情報に基づいて、前記発光部材識別情報によって識別される発光部材の光量を制御する  請求項１から４のいずれか一項に記載のサーバ。
【請求項６】
ネットワークを介して他の装置と通信する通信部と、
自装置を構成し、前記自装置に関する所定の機能を実行する１つ以上の構成部材を識別する識別情報と、前記通信部を介して取得された前記構成部材に設けられた発光部材の光量を制御する制御情報と、前記ユニットの動作状態に基づいて生成されるランプ情報と、に基づいて、前記識別情報によって識別される構成部材に設けられた発光部材の光量を制御する光量制御部と、
を備える、サーバ管理システム。
【請求項７】
ネットワークを介して他の装置と通信する通信ステップと、
自装置を構成し、前記自装置に関する所定の機能を実行する１つ以上の構成部材を識別する識別情報と、前記通信ステップにおいて取得された前記構成部材に設けられた発光部材の光量を制御する制御情報と、前記ユニットの動作状態に基づいて生成されるランプ情報と、に基づいて、前記識別情報によって識別される構成部材に設けられた発光部材の光量を制御する光量制御ステップと、
を有する、サーバ管理方法。
【請求項８】
コンピュータに、
ネットワークを介して他の装置と通信させる通信ステップと、
自装置を構成し、前記自装置に関する所定の機能を実行する１つ以上の構成部材を識別する識別情報と、前記通信ステップにおいて取得された前記構成部材に設けられた発光部材の光量を制御する制御情報と、前記ユニットの動作状態に基づいて生成されるランプ情報と、に基づいて、前記識別情報によって識別される構成部材に設けられた発光部材の光量を制御させる光量制御ステップと、
を実行させるための、プログラム。
【手続補正２】
【補正対象書類名】明細書
【補正対象項目名】０００６
【補正方法】変更
【補正の内容】
【０００６】
本発明の第１の態様によれば、サーバは、ネットワークを介して他の装置と通信する通信部と、自装置を構成し、前記自装置に関する所定の機能を実行する１つ以上の構成部材を識別する識別情報と、前記通信部を介して取得された前記構成部材に設けられた発光部材の光量を制御する制御情報と、前記ユニットの動作状態に基づいて生成されるランプ情報と、に基づいて、前記識別情報によって識別される構成部材に設けられた発光部材の光量を制御する光量制御部と、を備える。
【手続補正３】
【補正対象書類名】明細書
【補正対象項目名】０００７
【補正方法】変更
【補正の内容】
【０００７】
また、本発明の第２の態様によれば、サーバ管理システムは、ネットワークを介して他の装置と通信する通信部と、自装置を構成し、前記自装置に関する所定の機能を実行する１つ以上の構成部材を識別する識別情報と、前記通信部を介して取得された前記構成部材に設けられた発光部材の光量を制御する制御情報と、前記ユニットの動作状態に基づいて生成されるランプ情報と、に基づいて、前記識別情報によって識別される構成部材に設けられた発光部材の光量を制御する光量制御部と、を備える。
【手続補正４】
【補正対象書類名】明細書
【補正対象項目名】０００８
【補正方法】変更
【補正の内容】
【０００８】
また、本発明の第３の態様によれば、サーバ管理方法では、ネットワークを介して他の装置と通信する通信ステップと、自装置を構成し、前記自装置に関する所定の機能を実行する１つ以上の構成部材を識別する識別情報と、前記通信ステップにおいて取得された前記構成部材に設けられた発光部材の光量を制御する制御情報と、前記ユニットの動作状態に基づいて生成されるランプ情報と、に基づいて、前記識別情報によって識別される構成部材に設けられた発光部材の光量を制御する光量制御ステップと、を有する。
【手続補正５】
【補正対象書類名】明細書
【補正対象項目名】０００９
【補正方法】変更
【補正の内容】
【０００９】
また、本発明の第４の態様によれば、プログラムは、コンピュータに、ネットワークを介して他の装置と通信させる通信ステップと、自装置を構成し、前記自装置に関する所定の機能を実行する１つ以上の構成部材を識別する識別情報と、前記通信ステップにおいて取得された前記構成部材に設けられた発光部材の光量を制御する制御情報と、前記ユニットの動作状態に基づいて生成されるランプ情報と、に基づいて、前記識別情報によって識別される構成部材に設けられた発光部材の光量を制御させる光量制御ステップと、を実行させる。